(57)【要約】      （修正有）【課題】使用者の顔面部及び首部に用いられるパック用化粧品セットであって、美容効果（例えば、肌のきめを整え、肌の水分量を適切にし、しみ・そばかす等を除去する美肌効果、及び美白効果。）に加え、顔面及び首部の皺やたるみを取り除く効果、即ちリフトアップ効果を有するパック用化粧品セットを提供する。【解決手段】少なくとも８本の帯状パックシートと、美容液と、しみ・そばかす用スポットフィルムと、眼部用パックシートと、フェイス用パックとの組合せでパック用化粧品セットを構成する。【選択図】図３
0003150247.tif 000002
【実用新案登録請求の範囲】
【請求項１】
少なくとも８本の帯状パックシートと、美容液と、しみ・そばかす用スポットフィルムと、眼部用パックシートと、フェイス用パックとの組合せから成るパック用化粧品セット。
【請求項２】
帯状パックシートが、下記（１）〜（８）の用途に用いられる帯状シートであることを特徴とする請求項１に記載のパック用化粧品セット。
（１）フェイスライン部に密着させ、保持するためのシート。
（２）１本の帯状パックシートを顎部でＶ字に折り曲げ、頬部に密着・保持するためのシート。
（３）首部と左右いずれかのフェイスライン部に密着させ、晴明（セイメイ）部で押さえ、額部まで斜めに延ばし保持するためのシート。
（４）上記（３）と左右対称に用い保持するためのシート。
（５）上記（１）〜（４）にて配置した帯状パックシートの全てと重なるように、両眼部を通過するように保持するためのシート。
（６）額部で皮膚が露出している部分を埋めるように密着させ、保持するためのシート。
（７）頬部で皮膚が露出している部分を埋めるように密着させ、保持するためのシート。
（８）フェイスライン下部の首部に密着させ、保持するためのシート。
【請求項３】
帯状パックシートが、精製水を含浸させて使用する帯状シートであることを特徴とする請求項１又は２に記載のパック用化粧品セット。
【請求項４】
美容液が、水、ブチレングリコール、グリセリン、グリコシルトレハロース、アスコルビルエチル、加水分解水添デンプンを主成分とすることを特徴とする請求項１〜３のいずれかに記載のパック用化粧品セット。
【請求項５】
フェイス用パックが、水、スクワラン、グリセリン、ベヘニルアルコール、グリコシルトレハロース、オレイン酸フィトステリル、パルミチン酸セチル、リンゴ酸ジイソステアリル、ブチレングリコロール、加水分解水添デンプンを主成分とすることを特徴とする請求項１〜４のいずれかに記載のパック用化粧品セット。
【請求項６】
美容液、しみ・そばかす用スポットフィルム、眼部用パックシート、フェイス用パック、帯状パックシートの順に塗布又は貼付される構成であることを特徴とする請求項１〜５のいずれかに記載のパック用化粧品セット。
【考案の詳細な説明】
【技術分野】
【０００１】
本考案は、パック用化粧品セットに関し、詳しくは帯状パックシート、美容液、しみ・そばかす用スポットフィルム、眼部用パックシート及びフェイス用パックの組合せからなるパック用化粧品セットに関する。
【背景技術】
【０００２】
従来から、顔面の形状に近似させた態様のパックシートであって、不織布等に美容液等の化粧品を浸透又は含有させ、これを使用者の顔面・首等に密着状態となるように貼り付け、美容効果を顔面全面に亘って充分に発揮し得るパックシートが知られている（特許文献１、２）。
【特許文献１】実用新案登録第３１３４５４２号
【特許文献２】実用新案登録第３１４１５６５号
【考案の開示】
【考案が解決しようとする課題】
【０００３】
特許文献１の技術は、顔面全面シート（鼻部を除く。）と鼻部シートとの組合せから成り、美容液等の化粧水を前記各シートに浸透させて用いることを特徴とする化粧用パックシートである。シートは顔面の形や凹凸等に対応するように、目・鼻・口の部分に開口又は切込みを設け、顔の輪郭と略一致する形状に形成されている。
【０００４】
特許文献２の技術は、顔面シート部と首・デコルテシート部との組合せから成り、美容液等の化粧品を浸透させて用いる化粧用パックシートである。顔面シート部は、顔面の形や凹凸等に対応するように、目・鼻・口の部分に開口又は切込みを設け、顔の輪郭と略一致する形状に形成されている。また、首・デコルテシート部は、略半円形状に形成されている。
【０００５】
特許文献１の技術は、鼻部を除く顔面全面シートと、鼻部シートを別体構成にしたことにより、顔面全面シートが鼻部を除く顔面全面に馴染んだ状態で密着し、顔面から隆起する鼻部は鼻部シートが馴染んだ状態で密着することになるので、顔面全面にシートを馴染んだ状態で密着させることができる。
しかし、特許文献１の技術では、顔面に美容液等を浸透させることができても、顔面の皺やたるみを取り除く効果、即ちリフトアップ効果を得ることができない。
【０００６】
特許文献２の技術は、顔面だけでなく、首の前側全面やデコルテ部分に対する美容効果を発揮させることができる化粧用パックシートを提供することができる。
しかし、特許文献２の技術では、顔面及び首に美容液等を浸透させることができても、顔面及び首の皺やたるみを取り除く効果、即ちリフトアップ効果を得ることができない。
【０００７】
そこで、本考案の課題は、使用者の顔面部及び首部に用いられるパック用化粧品セットであって、美容効果（例えば、肌のきめを整え、肌の水分量を適切にし、しみ・そばかす等を除去する美肌効果、及び美白効果。）に加え、顔面及び首部の皺やたるみを取り除く効果、即ちリフトアップ効果を有するパック用化粧品セットを提供することにある。
【課題を解決するための手段】
【０００８】
上記課題を解決する本考案は、下記構成を有する。
１．少なくとも８本の帯状パックシートと、美容液と、しみ・そばかす用スポットフィルムと、眼部用パックシートと、フェイス用パックとの組合せから成るパック用化粧品セッ
ト。
【０００９】
２．帯状パックシートが、下記（１）〜（８）の用途に用いられる帯状シートであることを特徴とする前記１に記載のパック用化粧品セット。
（１）フェイスライン部に密着させ、保持するためのシート。
（２）１本の帯状パックシートを顎部でＶ字に折り曲げ、頬部に密着・保持するためのシート。
（３）首部と左右いずれかのフェイスライン部に密着させ、晴明（セイメイ）部で押さえ、額部まで斜めに延ばし保持するためのシート。
（４）上記（３）と左右対称に用い保持するためのシート。
（５）上記（１）〜（４）にて配置した帯状パックシートの全てと重なるように、両眼部を通過するように保持するためのシート。
（６）額部で皮膚が露出している部分を埋めるように密着させ、保持するためのシート。
（７）頬部で皮膚が露出している部分を埋めるように密着させ、保持するためのシート。
（８）フェイスライン下部の首部に密着させ、保持するためのシート。
【００１０】
３．帯状パックシートが、精製水を含浸させて使用する帯状シートであることを特徴とする前記１又は２に記載のパック用化粧品セット。
【００１１】
４．美容液が、水、ブチレングリコール、グリセリン、グリコシルトレハロース、アスコルビルエチル、加水分解水添デンプンを主成分とすることを特徴とする前記１〜３のいずれかに記載のパック用化粧品セット。
【００１２】
５．フェイス用パックが、水、スクワラン、グリセリン、ベヘニルアルコール、グリコシルトレハロース、オレイン酸フィトステリル、パルミチン酸セチル、リンゴ酸ジイソステアリル、ブチレングリコロール、加水分解水添デンプンを主成分とすることを特徴とする前記１〜４のいずれかに記載のパック用化粧品セット。
【００１３】
６．美容液、しみ・そばかす用スポットフィルム、眼部用パックシート、フェイス用パック、帯状パックシートの順に塗布又は貼付される構成であることを特徴とする前記１〜５のいずれかに記載のパック用化粧品セット。
【考案の効果】
【００１４】
前記１に示す考案によれば、美容効果とリフトアップ効果を併せ持つパック用化粧品セットを提供することができる。
【００１５】
前記２に示す考案によれば、顔面及び首部の皺やたるみを帯状パックシートでもって引き伸ばすことができ、よりリフトアップ効果が高いパック用化粧品セットを提供することができる。
【００１６】
前記３に示す考案によれば、帯状パックシートを顔面及び首部に密着させて貼付することができ、よりリフトアップ効果が高いパック用化粧品セットを提供することができる。
【００１７】
前記４に示す考案によれば、美容液による美容効果及びリフトアップ効果をより高めることができる。
【００１８】
前記５に示す考案によれば、フェイス用パックによる美容効果及びリフトアップ効果をより高めることができる。
【００１９】
前記６に示す考案によれば、パック用化粧品セットによる美容効果及びリフトアップ効果をより高めることができる。
【図面の簡単な説明】
【００２０】
【図１】帯状パックシートの一実施例を示す正面図
【図２】帯状パックシートの用途を示す説明図
【図３】パック用化粧品セットの一実施例を示す説明図
【考案を実施するための形態】
【００２１】
次に、添付の図面に従って、本考案を詳細に説明する。
図１は帯状パックシートの一実施例を示す正面図、図２は帯状パックシートの用途を示す説明図、図３はパック用化粧品セットの一実施例を示す説明図である。
【００２２】
本考案に係るパック用化粧品セットは、少なくとも８本の帯状パックシートと、美容液と、しみ・そばかす用スポットフィルムと、眼部用パックシートと、フェイス用パックとによって構成される。
【００２３】
先ず、、帯状パックシート１について説明する。
図１に示す帯状パックシート１は、その形状は包帯の如き帯状の長方形であり、短辺の長さが３０ｍｍから１００ｍｍであって長辺の長さが２５０ｍｍから４００ｍｍであることが好ましく、短辺の長さが５０ｍｍであって長辺の長さが３００ｍｍであることがより好ましい。
【００２４】
帯状パックシート１は、布又は不織布によって形成され、例えば、布であればガーゼ布を挙げることができ、不織布であればセルロース繊維を挙げることができる。
中でも、低発塵性、吸液性、耐熱性、拭き取り性、不純物の少なさ等の観点から、セルロース極細長繊維から構成される不織布を用いることが好ましい。例えば、旭化成せんい株式会社製の「ベンリーゼ（登録商標）」を挙げることができる。
帯状パックシート１は、いわゆる美容成分を含まない。
【００２５】
帯状パックシート１は、少なくとも８本が用いられる。
それぞれの帯状パックシート１は、使用者の顔面２、首部３を対象に用いられるもので、以下の用途に用いられる。
【００２６】
（１）図２（ａ）に示す帯状パックシート１１は、左右のこめかみ部２１と顎部２２とを結ぶフェイスライン部に密着させ、そこに保持する用途で用いられる。この際、顎部２２からこめかみ部２１の方向に皮膚を引き上げるように密着・保持する。
【００２７】
（２）図２（ｂ）に示す帯状パックシート１２は、左右いずれかの頬部２３に密着させ、顎部２２付近でこれを折り返し、他方の頬部２３に密着させ、そこに保持する用途で用いられる。この際、顎部２２から頬部２３の方向に皮膚を引き上げるように密着・保持する。保持後の帯状パックシート１２は、略Ｖ字の形状となる。
【００２８】
（３）図２（ｃ）に示す帯状パックシート１３は、首部３と左右いずれかのフェイスライン部に密着させ、フェイスライン部とは左右反対側の晴明（セイメイ）部２４で押さえ、額部２５まで斜めに延ばして保持する。この際、首部３から額部２５の方向に皮膚を引き上げるように密着・保持する。
晴明（セイメイ）とは、顔面における経穴（ツボともいう。）の名称であって、本考案において、晴明（セイメイ）部２４とは、目頭と鼻の付け根の間にある窪み付近の部分を
いう。
【００２９】
（４）図２（ｄ）に示す帯状パックシート１４は、上記（３）に記載の帯状パックシート１３と左右対称に用い、密着・保持する。
【００３０】
（５）図２（ｅ）に示す帯状パックシート１５は、上記（１）〜（４）に記載の帯状パックシート１１〜１４の全てと重ね、更に両眼部２６を通過するように保持する。
【００３１】
（６）図２（ｆ）に示す帯状パックシート１６は、額部２５で皮膚が露出している部分を埋めるように密着・保持する。この際、帯状パックシート１６を横Ｖ字に折り返して密着・保持してもよいし（図は横Ｖ字に折り返す実施例。）、折り返さずに密着・保持してもよい。また、額部２５に保持した際に、帯状パックシート１６の両端が余り、額部２５をはみ出る場合は、両端を額部２５側に折り返してもよい。
【００３２】
（７）図２（ｇ）に示す帯状パックシート１７は、頬部２３で皮膚が露出している部分を埋めるように密着・保持する。この際、帯状パックシート１７を横Ｖ字に折り返して密着・保持してもよいし、折り返さずに密着・保持してもよい（図は折り返さない実施例。）。また、頬部２３に保持した際に、帯状パックシート１７の両端が余り、頬部２３をはみ出る場合は、両端を頬部２３側に折り返してもよい。
【００３３】
（８）図２（ｈ）に示す帯状パックシート１８は、フェイスライン下部の首部３に沿って密着・保持する。この際、帯状パックシート１８を横Ｖ字に折り返して密着・保持してもよいし、首上部に密着した帯状パックシート１８の両端を鎖骨側に折り返して密着・保持してもよい（図は両端を鎖骨側に折り返す実施例。）。帯状パックシート１８は、首部３の前側全体を覆うように密着・保持することが好ましい。
【００３４】
上記（１）〜（８）に示す各帯状パックシート１１〜１８は、本考案において、その使用順序に限定はないが、（１）から（８）の順に使用することが好ましい。
また、本考案に用いられる帯状パックシート１は、少なくとも８本であるが、それ以上の帯状パックシート１を用いることもできる。例えば、上記（６）又は（７）に記載の帯状パックシート１６又は１７について、１本の帯状パックシートでは、頬部２３又は額部２５で皮膚が露出している部分を埋めることができない場合に、２本以上の帯状パックシートを使用することができる。
【００３５】
帯状パックシート１は、精製水を含浸させて用いることができる。精製水を含浸させることにより、使用者の顔面２及び首部３への密着性が向上し、より高いリフトアップ効果を得ることができるためである。
精製水は、帯状パックシート１を顔面２又は首部３に保持する前に含浸させても良いし、顔面２又は首部３に保持した後に含浸させても良いが、帯状パックシート１と顔面２及び首部３の皮膚との密着性に鑑み、顔面２又は首部３に保持する前に精製水を含浸させることが好ましい。
【００３６】
次に、美容液４について説明する。
美容液４は、美容効果（例えば、美肌・美白効果。）及びリフトアップ効果がある液体状の美容液が用いられる。本考案に使用する美容液４については、公知公用の美容液を使用することができる。
美容液４は、使用者の顔面２及び首部３の全体に塗布して用いられる（図３（ａ）参照。）。
【００３７】
美容液４としては、水、ブチレングリコール、グリセリン、グリコシルトレハロース、
アスコルビルエチル、加水分解水添デンプンを主成分とする美容液を用いることができる。また、これらの成分に加えて、ＥＤＴＡ−２Ｎａ、アラントイン、シロキクラゲ多糖体、クエン酸、クエン酸Ｎａ、黒砂糖エキス、加水分解コメエキス、アイ葉／茎エキス、メチルパラベンを含有する美容液を用いることができる。
【００３８】
各成分の配合量は、水：８０〜９０、ブチレングリコール：５〜１０、グリセリン：２〜６、グリコシルトレハロース：１〜２、アスコルビルエチル：０．５〜１．５、加水分解水添デンプン：０．５〜１．０、そして、ＥＤＴＡ−２Ｎａと、アラントインと、シロキクラゲ多糖体と、クエン酸と、クエン酸Ｎａとの合計：０．５〜１．０、また、黒砂糖エキスと、加水分解コメエキスと、アイ葉／茎エキスと、メチルパラベンとの合計：０．０５〜０．１とすることが好ましい（配合量の単位は、質量％とする。）。
【００３９】
次に、しみ・そばかす用スポットフィルム５について説明する。
しみ・そばかす用スポットフィルム５は、顔面のしみ・そばかす部分に貼付して用いられるもので、しみ・そばかすを除去又は緩和するために用いられ、例えば、直径２０ｍｍ程度の円形のフィルム状のものが挙げられる（図３（ｂ）参照。）。
【００４０】
しみ・そばかす用スポットフィルム５は、しみ・そばかすを除去又は緩和するためのフィルムとして公知公用のしみ・そばかす用スポットフィルムを使用することができ、例えば、ビタミンＣ成分を含有したものを用いることができる。
【００４１】
次に、眼部用パックシート６について説明する。
眼部用パックシート６は、眼部及びその周辺部に貼付して用いられるもので、眼部周辺の皺・たるみ等を除去又は緩和するために用いられ、例えば、眼部及びその周縁部と同程度の大きさで、その形状に近似させた形状のパックシートが挙げられる（図３（ｃ）参照。）。
【００４２】
眼部用パックシート６は、皺・たるみ等を除去又は緩和するためのパックシートして公知公用の眼部用パックシートを使用することができ、例えば、コラーゲン成分を含有したコラーゲンシートを用いることができる。
【００４３】
次に、フェイス用パック７について説明する。
フェイス用パック７は、美容効果（例えば、美肌・美白効果。）及びリフトアップ効果があるクリーム状・ゼリー状・ペースト状のパックや泥パックが用いられる。本考案に使用するフェイス用パックについては、公知公用のフェイス用パックを使用することができる。
フェイス用パック７は、使用者の顔面２及び首部３の全体に塗布して用いられる（図３（ｄ）参照。）。
【００４４】
フェイス用パック７としては、水、スクワラン、グリセリン、ベヘニルアルコール、グリコシルトレハロース、オレイン酸フィトステリル、パルミチン酸セチル、リンゴ酸ジイソステアリル、ブチレングリコロール、加水分解水添デンプンを主成分とするフェイス用パックを用いることができる。また、これらの成分に加えて、ミリスチン酸ポリグリセリル−１０、アスコルビルエチル、ジステアリン酸ポリグリセリル−１０、（アクリレーツ／アクリル酸アルキル（Ｃ１０−３０））クロスポリマー、ＥＤＴＡ−２Ｎａ、アルギニン、キサンタンガム、グリチルリチン酸２Ｋ、加水分解コメエキス、ブチルパラベン、メチルパラベンを含有する美容液を用いることができる。
【００４５】
各成分の配合量は、水：４５〜５５、スクワラン：８〜１２、グリセリン：５〜１０、ベヘニルアルコール：２〜８、グリコシルトレハロース：２〜８、オレイン酸フィトステ
リル：２〜７、パルミチン酸セチル：２〜７、リンゴ酸ジイソステアリル：２〜７、ブチレングリコロール：２〜７、加水分解水添デンプン：１．５〜３．５、ミリスチン酸ポリグリセリル−１０：１〜３、アスコルビルエチル：０．５〜１．５、そして、ジステアリン酸ポリグリセリル−１０と、（アクリレーツ／アクリル酸アルキル（Ｃ１０−３０））クロスポリマーと、ＥＤＴＡ−２Ｎａと、アルギニンと、キサンタンガムと、グリチルリチン酸２Ｋとの合計：０．５〜１．０、また、加水分解コメエキスと、ブチルパラベンと、メチルパラベンとの合計：０．０５〜０．１とすることが好ましい（配合量の単位は、質量％とする。）。
【００４６】
本考案にかかるパック用化粧品セットを構成する帯状パックシート１、美容液４、しみ・そばかす用スポットフィルム５、眼部用パックシート６及びフェイス用パック７は、任意の使用順序で塗布又は貼付することができるが、美容効果及びリフトアップ効果をより高めるため、美容液４、しみ・そばかす用スポットフィルム５、眼部用パックシート６、フェイス用パック７、帯状パックシート１の順に塗布又は貼付されることが好ましい。
【００４７】
使用順序について詳述するため、図３のパック用化粧品セットの一実施例を示す説明図に基づいて説明する。
先ず、図３（ａ）に示すように、使用者の顔面２及び首部３の全体に、美容液４を塗布する。塗布する際には、使用者の顔面及び首部のマッサージを兼ねて塗布してもよい。
次に、図３（ｂ）に示すように、使用者の顔面にあるしみ・そばかす部分に、しみ・そばかす用スポットフィルム５を貼付する。しみ・そばかすが複数ある場合は、その数に応じて複数のしみ・そばかす用スポットフィルム５を貼付してもよい。
次に、図３（ｃ）に示すように、使用者の眼部２６に、両眼それぞれ１枚の眼部用パックシート６を貼付する。
【００４８】
次に、図３（ｄ）に示すように、使用者の顔面２及び首部３の全体にフェイス用パック７を塗布する。フェイス用パック７は、すでに使用者の顔面２に貼付しているしみ・そばかす用スポットフィルム５及び眼部用パックシート６の上から塗布する。
最後に、図３（ｅ）に示すように、使用者の顔面２及び首部３に、塗布したフェイス用パック７の上から、帯状パックシート１を上記（１）〜（８）に記載の用途で密着・保持する。この際、前述のように、帯状パックシート１には精製水を含浸させて用いてもよい。
【００４９】
上記のように塗布・貼付したパック用化粧品セットは、所定の時間保持することによって、美容効果及びリフトアップ効果を発揮する。
【００５０】
本考案に係るパック用化粧品セットは、使用者自らが塗布又は貼付し使用することもできるが、主な用途は、エステティックサロン等において、エステティシャン等が顧客に対して施術するためのものである。
【符号の説明】
【００５１】
１  帯状パックシート
１１  上記（１）に記載の帯状パックシート
１２  上記（２）に記載の帯状パックシート
１３  上記（３）に記載の帯状パックシート
１４  上記（４）に記載の帯状パックシート
１５  上記（５）に記載の帯状パックシート
１６  上記（６）に記載の帯状パックシート
１７  上記（７）に記載の帯状パックシート
１８  上記（８）に記載の帯状パックシート
２  顔面
２１  こめかみ部
２２  顎部
２３  頬部
２４  晴明（セイメイ）部
２５  額部
２６  眼部
３  首部
４  美容液
５  しみ・そばかす用スポットフィルム
６  眼部用パックシート
７  フェイス用パック
【図１】
0003150247.tif 000003
【図２】
0003150247.tif 000004
【図３】
0003150247.tif 000005